【手続補正書】
【提出日】平成18年6月29日(2006.6.29)
【手続補正１】
【補正対象書類名】明細書
【補正対象項目名】特許請求の範囲
【補正方法】変更
【補正の内容】
【特許請求の範囲】
【請求項１】
被写体と、被写体情報を記録するディテクタとの間に、錯乱放射線を除去するグリッドを設けて撮影を行うことにより得られるグリッド像を含む放射線画像を画像処理する医用画像処理装置において、
フィルタ特性の異なる複数のフィルタを用いて前記グリッド像を除去し、前記放射線画像から被写体情報のみを抽出するフィルタリング手段を備えることを特徴とする医用画像処理装置。
【請求項２】
前記フィルタリング手段は、放射線画像の所定の領域毎に、前記フィルタ特性の異なるフィルタを適用してグリッド像を除去し、前記放射線画像から被写体情報のみを抽出することを特徴とする請求項１記載の医用画像処理装置。
【請求項３】
前記フィルタリング手段は、放射線画像のグリッド像と直交する方向において中央部では高周波数のフィルタ特性を有するフィルタを適用し、端部では中央部よりも低周波数のフィルタ特性を有するフィルタを適用することを特徴とする請求項１又は２記載の医用画像処理装置。
【請求項４】
前記フィルタ手段は、ウェーブレットフィルタを使用していることを特徴とする請求項３記載の医用画像処理装置。
【請求項５】
前記フィルタ手段は、ガボールフィルタを使用していることを特徴とする請求項３記載の医用画像処理装置。
【請求項６】
前記フィルタリング手段は、異なるグリッド密度により構成される複数のグリッド毎に、フィルタ特性の異なる複数のフィルタを適用して、放射線画像からグリッド像を除去し、当該放射線画像から被写体情報のみを抽出することを特徴とする請求項１又は２記載の医用画像処理装置。
【請求項７】
被写体と、被写体情報を記録するディテクタとの間に、錯乱放射線を除去するグリッドを設けて撮影を行うことにより得られるグリッド像を含む放射線画像を画像処理する医用画像処理装置と、撮影に関する情報を含む撮影オーダ情報を管理する情報管理装置と、を備える医用画像撮影システムであって、
前記情報管理装置は、
放射線画像の所定の領域毎に適用されるフィルタ特性の異なるフィルタをグリッド毎に記憶するデータベースと、
撮影に使用したグリッドに関する情報を含む撮影条件を受信する受信手段と、
前記受信した撮影条件に基づいて、前記データベースから撮影に使用したグリッドに対応する放射線画像の所定の領域毎に適用される複数のフィルタを取得して送信する送信手段と、を備え、
前記医用画像処理装置は、
撮影に使用したグリッドに関する情報を含む撮影条件を送信する送信手段と、
前記撮影に使用したグリッドに対応して、放射線画像の所定の領域毎に適用される複数のフィルタを受信する受信手段と、
前記受信した複数のフィルタを放射線画像の所定の領域毎に適用してグリッド像を除去し、前記放射線画像から被写体情報のみを抽出するフィルタリング手段と、
を備えることを特徴とする医用画像処理システム。
【手続補正２】
【補正対象書類名】明細書
【補正対象項目名】００１８
【補正方法】変更
【補正の内容】
【００１８】
請求項３記載の発明は、請求項１又は２記載の医用画像処理装置において、
前記フィルタリング手段は、放射線画像のグリッド像と直交する方向において中央部では高周波数のフィルタ特性を有するフィルタを適用し、端部では中央部よりも低周波数のフィルタ特性を有するフィルタを適用することを特徴としている。
【手続補正３】
【補正対象書類名】明細書
【補正対象項目名】００１９
【補正方法】変更
【補正の内容】
【００１９】
請求項４記載の発明は、請求項３記載の医用画像処理装置において、
前記フィルタ手段は、ウェーブレットフィルタを使用していることを特徴としている。
【手続補正４】
【補正対象書類名】明細書
【補正対象項目名】００２０
【補正方法】変更
【補正の内容】
【００２０】
請求項５記載の発明は、請求項３記載の医用画像処理装置において、
前記フィルタ手段は、ガボールフィルタを使用していることを特徴としている。
【手続補正５】
【補正対象書類名】明細書
【補正対象項目名】００２１
【補正方法】削除
【補正の内容】
【手続補正６】
【補正対象書類名】明細書
【補正対象項目名】００２２
【補正方法】変更
【補正の内容】
【００２２】
請求項３から５のいずれか一項に記載の発明によれば、グリッドの特性や、グリッドピッチの偏りに応じて、好適なフィルタを選択して、的確に放射線画像からグリッド像を除去して、被写体情報のみを抽出することができる。特に、フィルタが、局在性の高いガボールフィルタである場合、放射線画像からグリッド成分のみを選択的に除去することができる。これにより、有効な周波数成分の抑制を低減させて、鮮鋭度の高い、高画質な放射線画像を得ることができる。
【手続補正７】
【補正対象書類名】明細書
【補正対象項目名】００２３
【補正方法】変更
【補正の内容】
【００２３】
請求項６記載の発明は、請求項１又は２記載の医用画像処理装置において、
前記フィルタリング手段は、異なるグリッド密度により構成される複数のグリッド毎に、フィルタ特性の異なる複数のフィルタを適用してグリッド像を除去し、前記放射線画像から被写体情報のみを抽出することを特徴としている。
【手続補正８】
【補正対象書類名】明細書
【補正対象項目名】００２４
【補正方法】変更
【補正の内容】
【００２４】
請求項６記載の発明によれば、グリッド毎に異なるフィルタを適用して、放射線画像からグリッド像を除去することができるため、複数のグリッドがある場合に、使用したグリッドに対応した最適なフィルタを適用してグリッド像を画一に除去することができ、高画質な再生画像を提供することができる。
【手続補正９】
【補正対象書類名】明細書
【補正対象項目名】００２５
【補正方法】変更
【補正の内容】
【００２５】
請求項７記載の発明は、
被写体と、被写体情報を記録するディテクタとの間に、錯乱放射線を除去するグリッドを設けて撮影を行うことにより得られるグリッド像を含む放射線画像を画像処理する医用画像処理装置と、撮影に関する情報を含む撮影オーダ情報を管理する情報管理装置と、を備える医用画像撮影システムであって、
前記情報管理装置は、
放射線画像の所定の領域毎に適用されるフィルタ特性の異なるフィルタをグリッド毎に記憶するデータベースと、
撮影に使用したグリッドに関する情報を含む撮影条件を受信する受信手段と、
前記受信した撮影条件に基づいて、前記データベースから撮影に使用したグリッドに対応する放射線画像の所定の領域毎に適用される複数のフィルタを取得して送信する送信手段と、を備え、
前記医用画像処理装置は、
撮影に使用したグリッドに関する情報を含む撮影条件を送信する送信手段と、
前記撮影に使用したグリッドに対応する放射線画像の所定の領域毎に適用される複数のフィルタを受信する受信手段と、
前記受信した複数のフィルタを放射線画像の所定の領域毎に適用してグリッド像を除去し、前記放射線画像から被写体情報のみを抽出するフィルタリング手段と、
を備えることを特徴としている。
【手続補正１０】
【補正対象書類名】明細書
【補正対象項目名】００２６
【補正方法】変更
【補正の内容】
【００２６】
請求項７記載の発明によれば、医用画像処理装置と、情報管理装置がネットワークを介して接続されて構成される医用画像処理システムにおいて、情報管理装置は、放射線画像の所定の領域毎に適用されるフィルタ特性の異なるフィルタをグリッド毎に記憶するデータベースを備え、医用画像処理装置は、放射線画像を画像処理する際に、使用したグリッドに関する情報を含む撮影条件に基づいて、データベースから必要となるフィルタを取得することにより、放射線画像に含まれるグリッド像を的確に除去することができる。このため、個々の医用画像処理装置に、放射線画像の所定の領域毎に適用されるフィルタを記憶する必要がなく、データベースに記憶される資源をネットワークを介して有効に利用することができる。また、必要な情報が１箇所に集中して保存されるため、効率良く情報の管理を行うことができる。
【手続補正１１】
【補正対象書類名】明細書
【補正対象項目名】００７１
【補正方法】変更
【補正の内容】
【００７１】
請求項３から５のいずれか一項に記載の発明によれば、グリッドの特性に応じて、好適なフィルタを選択して、的確に放射線画像からグリッド像を除去して、被写体情報のみを抽出することができる。特に、フィルタが、局在性の高いガボールフィルタである場合、グリッド成分のみを選択的に除去することができる。これにより、必要な周波数成分の抑制を低減させることができ、精度の良い、高画質な放射線画像を得ることができる。
【手続補正１２】
【補正対象書類名】明細書
【補正対象項目名】００７２
【補正方法】変更
【補正の内容】
【００７２】
請求項６記載の発明によれば、グリッド毎に異なるフィルタを適用して、放射線画像からグリッド像を除去することができるため、複数のグリッドがある場合に、使用したグリッドに対応した最適なフィルタを適用してグリッド像を画一に除去することができ、高画質な再生画像を提供することができる。
【手続補正１３】
【補正対象書類名】明細書
【補正対象項目名】００７３
【補正方法】変更
【補正の内容】
【００７３】
請求項７記載の発明によれば、医用画像処理装置と、情報管理装置がネットワークを介して接続されて構成される医用画像処理システムにおいて、情報管理装置において、放射線画像の所定の領域毎に適用されるフィルタ特性の異なるフィルタをグリッド毎に記憶するデータベースを備え、医用画像処理装置は、放射線画像を画像処理する際に、使用したグリッドに関する情報を含む撮影条件に基づいて、データベースから必要となるフィルタを取得して、放射線画像からグリッド像を除去して、被写体情報のみを抽出することができる。このため、個々の医用画像処理装置に、放射線画像の所定の領域毎に適用されるフィルタを記憶する必要がなく、データベースに記憶される資源をネットワークを介して有効に利用することができる。また、必要な情報が１箇所に集中して保存されるため、効率良く情報の管理を行うことができる。